(57)【特許請求の範囲】
【請求項１】
故障個所点検などの所要目的で、電装箱が既設の室外ユニットに装着される空気調和機において、
前記電装箱を決められた空間内の前記室外ユニット周囲に配置するために、上部に設けた折曲取付け部を前記室外ユニットの天面と側面の交差角部に係合して懸架状態に取付け可能とされる取付け板と、この取付け板の上部に設けた掛止孔と下方部に形成した掛止窓口と、前記掛止孔と掛止窓口と対応するように裏面側の上方位置と下方位置にそれぞれ下向きに突出する第１掛止片と第２掛止片を設けた電装箱とよりなり、電装箱の第１掛止片と第２掛止片とを前記取付け板の掛止孔と掛止窓口に対し上方より差し込むように装着して、第１掛止片の前記掛止孔下に抜け出ての係合と第２掛止片の前記掛止窓口の窓口裏縁部への係当により、電装箱が室外ユニットに取付け固定され、かつ前記取付け板の上部には、前記電装箱の第１掛止片を選択的に係止させる掛止孔を取付け板の幅方向に複数個設けると共に、前記取付け板の下部には前記電装箱の第２掛止片が横に移動可能な長さで形成された掛止窓口を設けたことを特徴とする空気調和機。
【請求項２】
故障個所点検などの所要目的で、電装箱が既設の室外ユニットに装着される空気調和機において、
室外ユニットの前面と後面に、それぞれ天面を共有しながら当てがわれ、かつ室外ユニットの厚み幅に応じて間隔調整されて取付け固定される２枚のＬ字型に折曲した取付け板と、この２枚のＬ字型取付け板の上部に設けた掛止孔と下部に形成した掛止窓口と、前記掛止孔と掛止窓口と対応するように裏面側の上方位置と下方位置にそれぞれ下向きに突出する第１掛止片と第２掛止片を設けた電装箱とよりなり、電装箱の第１掛止片と第２掛止片とを前記２枚の取付け板のうちのいずれかの一方の取付け板の掛止孔と掛止窓口に対し上方より差し込むように装着して、第１掛止片の前記掛止孔下に抜け出ての係合と第２掛止片の前記掛止窓口の窓口裏縁部への係当により、電装箱が室外ユニットの前面または後面に取付け固定されるようになっていることを特徴とする空気調和機。
【発明の詳細な説明】
【０００１】
【発明の属する技術分野】
本発明は、室外ユニットと室内ユニットに分離され、両ユニットを冷媒配管で接続した分離型空気調和機に関し、特に既設の空気調和機の運転性能の良否や、故障個所を診断する点検動作実行のために、室外ユニットに一時的に取付け設置する電装箱の電装箱取付け装置に関する。
【０００２】
【従来の技術】
分離型空気調和機において、圧縮機や凝縮器などを搭載し、室内ユニットに比較して重量のある室外ユニットは、ある程度の放熱空間が確保できてかつ余り目立たない場所が選ばれて据付けれることが多い。しかし、現実には住宅事情等により、家屋の裏壁近辺や路地裏など狭い場所が一般にはその候補地となり、室外ユニットは設置されることが多い。
【０００３】
【発明が解決しようとする課題】
さて、こうして設置した分離型空気調和機が、正常に動作しない等のクレームがあった場合に、現場でのサービス点検が行われるが、その際に分離型空気調和機の運転機能の良否検査や故障個所を発見するための検査プログラムに従う運転を行うことがある。
【０００４】
従って、そのようなサービス点検用の運転は、室外ユニットの通常運転のための制御とは異なるため、サービス用運転のための制御を行うための電装装置、すなわち電装箱を、室外ユニットに一時的に取付けて運転することになる。
【０００５】
しかし、室外ユニットの設けられているスペースは狭く、また室外ユニットの周囲には邪魔物があったりして、前記電装箱の取付け条件は悪いことが多い。しかしそのような悪条件がある場所であったりしても、その限られたスペース内に電装箱を取り付けるというその施工が出来なければならない。
【０００６】
本発明は、上記の実情に鑑み成されたもので、室外ユニットの設置されている場所によって決められた条件下のスペースであっても、容易に電装箱をその取付け先の条件に応じた適切な取付け方で取付けることができるように図り、能率的に点検サービスが行えるようにした空気調和機を提供することを目的とする。
【０００７】
【課題を解決するための手段】
本発明は、上記目的を達成するために、請求項１の発明では、故障個所点検などの所要目的で、電装箱が既設の室外ユニットに装着される空気調和機において、前記電装箱を決められた空間内の前記室外ユニット周囲に配置するために、上部に設けた折曲取付け部を前記室外ユニットの天面と側面の交差角部に係合して懸架状態に取付け可能とされる取付け板と、この取付け板の上部に設けた掛止孔と下方部に形成した掛止窓口と、前記掛止孔と掛止窓口と対応するように裏面側の上方位置と下方位置にそれぞれ下向きに突出する第１掛止片と第２掛止片を設けた電装箱とよりなり、電装箱の第１掛止片と第２掛止片とを前記取付け板の掛止孔と掛止窓口に対し上方より差し込むように装着して、第１掛止片の前記掛止孔下に抜け出ての係合と第２掛止片の前記掛止窓口の窓口裏縁部への係当により、電装箱が室外ユニットに取付け固定され、かつ前記取付け板の上部には、前記電装箱の第１掛止片を選択的に係止させる掛止孔を取付け板の幅方向に複数個設けると共に、前記取付け板の下部には前記電装箱の第２掛止片が横に移動可能な長さで形成された掛止窓口を設けたものである。
【０００９】
さらに、請求項２の発明では、故障個所点検などの所要目的で、電装箱が既設の室外ユニットに装着される空気調和機において、室外ユニットの前面と後面に、それぞれ天面を共有しながら当てがわれ、かつ室外ユニットの厚み幅に応じて間隔調整されて取付け固定される２枚のＬ字型に折曲した取付け板と、この２枚のＬ字型取付け板の上部に設けた掛止孔と下部に形成した掛止窓口と、前記掛止孔と掛止窓口と対応するように裏面側の上方位置と下方位置にそれぞれ下向きに突出する第１掛止片と第２掛止片を設けた電装箱とよりなり、電装箱の第１掛止片と第２掛止片とを前記２枚の取付け板のうちのいずれかの一方の取付け板の掛止孔と掛止窓口に対し上方より差し込むように装着して、第１掛止片の前記掛止孔下に抜け出ての係合と第２掛止片の前記掛止窓口の窓口裏縁部への係当により、電装箱が室外ユニットの前面または後面に取付け固定されるようになっているものである。
【００１０】
【発明の実施の形態】
以下、本発明の実施態用を図面に基づいて説明する。
【００１１】
１は、室内ユニット（図示せず）と共に空気調和機を構成する室外ユニットで、本体の左右側面の下部に設けた一対ずつの据付け足２を、設置面上のアンカーに固定して地面に設置したり、あるいは取付け用の金具を用いて、屋外の外壁等に取付け固定されている。そして、箱型をした鋼板製の本体内には、圧縮機や凝縮機や凝縮機冷却用ファンなどが収容されている。
【００１２】
３は、この既設の室外ユニット１が故障等のクレームを受けた場合に、設置先に出向きサービス点検をする時に、該室外ユニット１の本体部の一側面に取付け装着され、圧縮機や凝縮器など、どの室外ユニット構成品が故障なのか診断するための運転を行うのに必要な電装箱で、その金属製の電装ケース３Ｂの中には、図４に示すように制御用リレー４やターミナル装置５など多数の回路部品が配設されて、互いに配線接続されている。
【００１３】
そして、この電装箱３の電装ケース３Ｂにおいて、図５に示すように、その裏側面６ａの上方位置に取付け突片７が水平に突設され、かつ突片部分の中央にビス取付け孔８が設けられていると共に、突片部分の先端に下方に垂直に折曲形成された掛止片９が設けられている。
【００１４】
また、この取付け突片７の設けられた裏側面６ａの下端部には、真下に向って所定幅の係止片１１が一体に延出形成されている。そして、この係止片１１にもビス取付け孔１２が穿設されている。さらに、前記係止片１１と位置を少し違えて対向するように、室外ユニット１との当接片１３が、図４に示すように設けられている。
【００１５】
さて、この電装箱３に設けたこれら取付け突片７や係止片１１は、電装箱３を室外ユニット１に取付けるときの取付け部材となるものであるが、これら取付け突片７や係止片１１を室外ユニット１に直接、係止して装着するものであると、取付け突片７や係止片１１に対する係止孔なども、室外ユニット１側の所定位置に形成されることになって、取付け個所が固定されるため、仮りに設置場所においてその取付け個所に障害物があったりした場合には、電装箱３の取付が困難となる。
【００１６】
そこで、室外ユニット１に場所的に融通性のある取付けができるように開発した取付け板を利用して、電装箱３を装着できるようにした。この場合に、取付け板は、室外ユニット１の設置状況に応じて、電装箱を装着するのに都合の良い、形体が違う取付け板が使われるようになっている。
【００１７】
先ず図１に示すように、電装箱３を室外ユニット１の右側側面１Ｒにのみ設置することが適わない状況の時について説明する。この場合は、図６に示すような形体をした取付け板１５を使う。
【００１８】
すなわち、金属板を折曲して形成した取付け板１５は、上方部に階段状に折曲された折曲部１６を有し、該折曲部１６の下段面に複数の、実施例では４ケの取付けビス孔１８と４つの係止孔１９とが設けられている。また上段面の先端に水平に延出する水平突片２０は、取付け板１５を室外ユニット１の右側面１Ｒに当てた時に、図１に示すように、室外ユニット１の上端面１Ｘに引掛り、電装箱３を懸架状態に支持する保持部となっている。
【００１９】
また、前記取付け板１５の平面部の下方部端には、２つの掛止窓口２１ａ、２１ｂが設けられ、この掛止窓口２１ａ、２１ｂと前記折曲部１６の係止孔１９とが後で詳述するように、電装箱３を上部と下部で止めるための固定部となる。
【００２０】
ここで、取付け板１５の幅は、室外ユニット１の右側側面１Ｒの幅寸法より少し短い寸法である。そして、取付け板１５の周辺部１５ｄや前記折曲部１６、さらに取付け板１５の平面部１５ｅやその下方部の前記掛止窓口２１ａ、２１ｂの下縁部１５ｆ近辺に複数の取付けビス孔２４が設けられている。
【００２１】
よって、取付け板１５をその水平突片２０で室外ユニット１の上端面１Ｘに引掛っけたら、この取付け板１５を取付けビス２６でもって取付け固定する。
【００２２】
なお、この取付けビス２６は、室外ユニット１の外装パネルを装着している取付けビスのうちの一部を外して利用するものとし、よって、外した取付けビス２６を再度締め込むことで、取付け板１５と外装パネルの同時装着が可能であり、取付け板固定専用のビスを必要としない。
【００２３】
次に、こうして室外ユニット１の右側側面１Ｒに装着した取付け板１５へ、電装箱３を取付けるその取付け方を説明する。
【００２４】
電装箱３を取付け板１５より少し上方に位置させた後、電装箱３の上部の掛止片９を、取付け板１５の上方部の係止孔１９に上方から差し込み、一方電装箱３の下部の係止片１１を、取付け板１５の下方部の掛止窓口２１ａ内に外側から入り込ませる。
【００２５】
すると、差し込みが終了した状態では、掛止片９は係止孔１９の下に抜け出て係合し、また係止片１１は掛止窓口２１ａの下縁側辺部１５ｆに裏側から当接し互いに重なり合う。これによって、電装箱３は上部と下部を確実に止着され、かつ手前に抜けないように規制されて、取付け板１５に簡単に取付け固定される。
【００２６】
ここで、電装箱３の掛止片９が引掛る前記取付け板１５側の係止孔１９は、横に４つ並んであるので、例えば電装箱を図１に示した一番左端の位置より右側に取り付ける方が適当ならば、掛止片９を右隣に並ぶ残り３つの係止孔１９に選択的に差し込むようにすれば良い。
【００２７】
この時、電装箱３の下方の係止片１１は、掛止窓口２１ａか隣の掛止窓口２１ｂ内を横に移動するだけで、掛止窓口２１ａ、２１ｂの下縁部１５ｆに裏側から当接し、前述と同様な取付けが成されることになり、電装箱３を室外ユニット１の側面幅内で、最も邪魔されない取付け易い個所を自由に選んで取付固定することができる。
【００２８】
しかも、電装箱３の上部の掛止片９と下部の係止片１１を、それぞれ取付け板１５側の係止孔１９と掛止窓口２１ａ、２１ｂに差し込むだけで取付けが行えるという極めて簡単な取付け方および取付け構造となっている。
【００２９】
次の図２に示す取付け方は、電装箱３を室外ユニット１の正面側か若しくは裏面側かに取付けるのが好ましく、しかも厚み幅が違うような室外ユニット１であっても、電装箱３の装着が行えるようにした場合の実施例である。この場合は、図７に示すような形体をした取付け板を使う。
【００３０】
すなわち、逆Ｌ字型に折曲形成した２枚の金属板から成る２枚の取付け板３１、３２を使う。この各取付け板３１、３２において、その側面部と天面部とが交差する上部の角部に係止孔３３、係止孔３３が形成され、その段面部中央にビス取付け孔３４、ビス取付け孔３４が穿設されている。また側面部の下方部の中央に掛止窓口３５、掛止窓口３５が形成されていると共に、その下縁側辺部３１ｍにビス取付け孔３６、ビス取付け孔３６が設けられている。
【００３１】
そして、この２枚の取付け板３１、３２は、室外ユニット１を厚み幅方向で挾むように組み合わされて取付けられる。その時、２枚の取付け板３１、３２の上面３１Ｕ、３２Ｕは互いに重なり合って室外ユニット１の天面に位置している。
【００３２】
そして、その重なり代が調整できるように、一方の取付け板上面３２Ｕに形成した幅調整用の長孔溝３８、３８に、他方の取付け板上面３１Ｕに設けられた取付け兼ガイド用ビス３９、３９を摺動自在に係合するような幅調整手段を構成し、両取付け板３１、３２を室外ユニット１の厚み幅に応じてスライドさせて間隔を調整した後、取付け兼ガイド用ビス３９、３９を取付け板上面３１Ｕ側に設けた取付け孔４０、４０、４０に締め付け固定して、室外ユニット１に取付け固定ができるものとしている。また、各取付け板３１、３２の下方部のビス取付け孔３６、３６にも取付けビスを締着して固定する。
【００３３】
この場合、他方の取付け板上面３１Ｕには前記取付け兼ガイド用ビス３９、３９の取付け孔４０が前方、中間、後方と選択できるように３ケ所に設けられて、取付け兼ガイド用ビス３９、３９の取付け位置の違いによる長孔溝３８、３８内の許容移動範囲を限定し、２枚の取付け板３１、３２の間隔幅調整を段階的に行えるようにしている。
【００３４】
こうして、取付け板３１、３２が装着されると、各取付け板３１、３２の上部角部３１Ｃ、３２Ｃは室外ユニット１の天面角部に嵌合し、懸架状態に取付けられる。
【００３５】
次にこの取付け板３１、３２に、電装箱３を取り付ける取付け方を説明する。その取付け方は前述の第１実施例の場合とほぼ同様である。
【００３６】
すなわち、例えば室外ユニット１の正面側１Ｙに取り付ける時、電装箱３を取付け板３１に対し少し上方位置として対向させた後、電装箱３の上部の掛止片９を取付け板３１の上方部の係止孔３３に上方から差し込み、一方電装箱３の下部の係止片１１を、取付け板３１の下方部の掛止窓口３５内に外側から入り込ませる。
【００３７】
すると、差し込みが終了した状態では、掛止片９は係止孔３３の下に抜け出て係合し、また係止片１１は掛止窓口３５の下縁側辺部３１ｍに裏側から当接し、互いに重なり合う。これによって電装箱３は上部と下部を確実に止着され、かつ手前に抜けないように規制されて、取付け板３１に簡単に取付け固定される。
【００３８】
また、電装箱３を室外ユニット１の裏面側１Ｚに取り付ける場合も、前述と同様の取付け方で、電装箱３の上部の掛止片９を取付け板３２の上方部の係止孔３３に上方から差し込み、一方電装箱３の下部の係止片１１を、取付け板３２の下方部の掛止窓口３５内に外側から入り込ませることで、装着することができる。
【００３９】
図３は複数台の室内ユニット４０を運転可能な大型で厚み幅Ｄが相当にあるタイプの室外ユニット１に、電装箱３を取り付ける実施例を示す。この場合に使う取付け板は図８に示す形体をしたものである。
【００４０】
上記室外ユニット１はその本体の側面に、複数台の室内ユニット４０と配管接続される複数組の冷媒吐出入管装置４２を備えている。そして、この室外ユニット１の右側側面１Ｒの右寄り位置に、電装箱３を装着するのが好ましい場合である。
【００４１】
上述した金属板から成る取付け板５０は、上部に階段状に折曲した取付け突片５２を有し、その段面部に係止孔５３とビス取付け孔５４が形成されている。また前記取付け突片５２と直交する形で、上部に大きい側片５５が設けられ、下部に小さい側片５６が対角位置関係で折曲形成され、それぞれの側片５５、５６にはビス取付け孔５７が形成されている。
【００４２】
また、前記係止孔５３と対応して取付け板５０の下方部には、掛止窓口５８が穿設され、その下の側縁部５９にもビス取付け孔６０が設けられている。
【００４３】
よって、取付け板５０を取り付ける時は、取付け板５０をその上部側片５５と下部側片５６を介してビス６１、６１で、室外ユニット１の右側側面の右寄りの上方位置に取り付ければ良い。この時、取付け板５０の取付け突片５２は、室外ユニット１の上端面に被着し、取付け板５０が懸架状態に取付けられる。
【００４４】
こうして、装着した取付け板５０に対して、電装箱３を装着するが、この場合も先の２つの実施例とほぼ同じである。
【００４５】
すなわち、電装箱３を少し上方位置として取付け板５０に対向させ、電装箱３の上部の掛止片９を取付け板５０の上方部の係止孔５３に上方から差し込み、一方、電装箱３の下部の係止片１１を、取付け板５０の下方部の掛止窓口５８内に外側から入り込ませる。
【００４６】
すると、差し込みが終了した状態では、掛止片９は係止孔５３の下に抜け出て係合し、また係止片１１は掛止窓口５８の下縁側辺部５９に裏側から当接し互いに重なり合う。
【００４７】
これによって、電装箱３は上部と下部を確実に止着され、かつ手前に抜けないように規制されて、取付け板５０に簡単に取付け固定される。
【００４８】
【発明の効果】
以上のように本発明によれば、故障点検のために空気調和機を運転するに際し、使用される電装箱を室外ユニットに一時的に取り付ける時、室外ユニットの設置空間周囲に邪魔物があったりして取付けが困難な状況であっても、室外ユニット周面で、取付けがわずかに期待される部処に装着できる取付け板を用いて、電装箱を取付けられるようにしたので、従来のように電装箱の取付けに苦労することがなくなり、よってサービス点検などが能率良く行うことができるようになる。
【００４９】
また電装箱の取付板への取付けも、電装箱裏側の上部と下部にある掛止片を、取付板側に設けた掛止孔と掛止窓口に上方から差し込み、互いに引っ掛けるだけで取付られるという簡単な取付け手段であり、着脱操作が容易となり、便宜性のいいものとなっている。しかも、互いに係合する掛止片と掛止孔並びに掛止窓口を複数設けて選択的な係合を行わせることにより、取付け板に対して電装箱の装着位置を変更自在としたので、より取付け易い位置を選んで、容易な装着が行えるようになる。
【００５０】
さらに、室外ユニットを前後から挾むようにして取付けられる２枚のＬ字型の取付け板を用いて、室外ユニットの前面また後面への選択的取付けができるという取付け場所の拡大が図れると共に、この２枚のＬ字型の取付け板は室外ユニットの厚み幅に応じて、拡げたり狭めたりして間隔を調整して取付け可能となっているので、厚み幅が異なる種々の室外ユニットであっても、電装箱を取付けられるという融通性が出て、利用価値が高いものになる。
【図面の簡単な説明】
【図１】電装箱を右側面に装着している状況にある室外ユニットの正面図、右側面図および平面図。
【図２】電装箱を前面または後面に装着している状況にある室外ユニットの正面図、右側面図および平面図。
【図３】側面幅（奥行き寸法）が広い室外ユニットにおいて、電装箱をその右側面に装着している状況にある室外ユニットの正面、右側面および平面図。
【図４】内部に制御リレーやターミナル装置などが配設されている電装箱の正面図、左右側面図および平面図。
【図５】電装箱を裏側から見た電装箱の外観斜視図。
【図６】図１における取付け状態の時に用いられる取付け板の外観斜視図。
【図７】図２における取付け状態の時に用いられる取付け板の外観斜視図。
【図８】図３における取付け状態の時に用いられる取付け板の外観斜視図。
【符号の説明】
１  室外ユニット
３  電装箱
９  第１掛止片
１１  第２掛止片
１５、３１、３２、５０  取付け板
１９、３３、５３  掛止孔
２１ａ、２１ｂ、３５、５８  掛止窓口
【図１】
0003773598.tif 000002
【図２】
0003773598.tif 000003
【図３】
0003773598.tif 000004
【図４】
0003773598.tif 000005
【図５】
0003773598.tif 000006
【図６】
0003773598.tif 000007
【図７】
0003773598.tif 000008
【図８】
0003773598.tif 000009